【手続補正書】
【提出日】平成16年2月12日(2004.2.12)
【手続補正１】
【補正対象書類名】明細書
【補正対象項目名】特許請求の範囲
【補正方法】変更
【補正の内容】
【特許請求の範囲】
【請求項１】
ａ）有機塗膜形成バインダー、ならびに
ｂ）腐蝕抑制防止剤として、α）下記式Ｉ
【化１】
1997227802.tif 000001
（式中、Ｒ1はヒドロキシル基で、カルボキシル基でもしくはアミノ基で置換された炭素原子数４ないし１２のアルキル基を表すか；またはＲ1とＲ5とはそれらが結合する窒素原子と一緒になって、未置換であるかもしくは炭素原子数１ないし４のアルキル基で置換された５−、６−もしくは７−員の複素環、または酸素原子により、硫黄原子によりもしくは
【化２】
1997227802.tif 000002
により中断された５−、６−もしくは７−員の複素環を形成し；
Ｒ2とＲ3は、互いに独立して水素原子、炭素原子数１ないし２０のアルキル基、炭素原子数５ないし８のシクロアルキル基、未置換かもしくは炭素原子数１ないし４のアルキル基で置換されたフェニル基；またはベンジル基を表し；
Ｒ4は、ヒドロキシル基を表し；
Ｒ5は、
【化３】
1997227802.tif 000003
を表し；
Ｒ6は、炭素原子数１ないし１８のアルキル基または炭素原子数７ないし９のフェニルアルキル基を表し；そして
ｍは０または１を表す。）で表される化合物の少なくとも１種か；或いはβ）ｉ）下記式Ｉ’
【化４】
1997227802.tif 000004
（式中、Ｒ’1は、水素原子、炭素原子数１ないし２５のアルキル基、酸素原子より、硫黄原子よりもしくは
【化５】
1997227802.tif 000005
により中断された炭素原子数３ないし２５のアルキル基；ヒドロキシル基で、カルボキシル基でもしくはアミノ基で置換された炭素原子数２ないし２５のアルキル基；炭素原子数２ないし２４のアルケニル基、炭素原子数４ないし１５のシクロアルキル基、未置換かもしくは炭素原子数１ないし４のアルキル基で置換されたフェニル基；炭素原子数７ないし９のフェニルアルキル基または
【化６】
1997227802.tif 000006
を表すか；またはＲ’1とＲ’5とは、それらが結合する窒素原子と一緒になって未置換であるかもしくは炭素原子数１ないし４のアルキル基で置換された５−、６−もしくは７−員の複素環、または酸素原子より、硫黄原子よりもしくは
【化７】
1997227802.tif 000007
により中断された５−、６−もしくは７−員の複素環を形成し；
Ｒ2およびＲ3は上記で定義された意味を表し；
Ｒ’4は水素原子、ヒドロキシル基又−ＯＲ８を表し；
Ｒ’5は、水素原子、炭素原子数１ないし２５のアルキル基、酸素原子により、硫黄原子によりもしくは
【化８】
1997227802.tif 000008
により中断された炭素原子数３ないし２５のアルキル基；炭素原子数２ないし２４のアルケニル基、炭素原子数４ないし１５のシクロアルキル基、未置換かもしくは炭素原子数１ないし４のアルキル基で置換されたフェニル基；炭素原子数７ないし９のフェニルアルキル基または
【化９】
1997227802.tif 000009
を表し；
Ｒ7は、水素原子または炭素原子数１ないし６のアルキル基を表し；
Ｒ8は、炭素原子数１ないし６のアルキル基、炭素原子数４ないし１５のシクロアルキル基または未置換かもしくは炭素原子数１ないし４のアルキル基で置換されたフェニル基を表し；ｍは上記で定義された意味を表し；
但し、Ｒ’1もしくはＲ’5が水素原子の場合、ｍは０を表す。）で表される化合物；と
ii）下記式II
【化１０】
1997227802.tif 000010
〔式中、
Ｒ14とＲ15とは互いに独立して水素原子、炭素原子数１ないし２５のアルキル基、ヒドロキシル基で置換された炭素原子数２ないし２４のアルキル基；酸素原子もしくは硫黄原子により中断された炭素原子数３ないし２５のアルキル基；未置換であるかもしくは炭素原子数１ないし４のアルキル基によってフェニル環上で置換されている炭素原子数７ないし９のフェニルアルキル基；炭素原子数３ないし２４のアルケニル基、または
【化１１】
1997227802.tif 000011
を表すか；または
Ｒ14とＲ15とは、それらが結合する窒素原子と一緒になって未置換であるかもしくは炭素原子数１ないし４のアルキル基で置換された５−、６−もしくは７−員の複素環、または酸素原子により、硫黄原子によりもしくは
【化１２】
1997227802.tif 000012
により中断された５−、６−もしくは７−員の複素環を形成し；
Ｒ16は、炭素原子数１ないし２５のアルキル基、酸素原子または硫黄原子により中断された炭素原子数２ないし２５アルキル基；ヒドロキシル基、炭素原子数１ないし１８のアルコキシ基もしくは炭素原子数２ないし２４のアルケニル基を表し；
Ｒ17は、ヒドロキシル基、炭素原子数１ないし１８のアルコキシ基、または酸素原子もしくは硫黄原子により中断された炭素原子数２ないし１８のアルコキシ基を表し；そして、
下記で定義するｂが０を表す場合、３つの基Ｒ17は一緒になってＮ（ＣＨ2ＣＨ2Ｏ−）３を表し；
Ｘは、直接結合、炭素原子数１ないし１８のアルキレン基、炭素原子数２ないし２０のアルキリデン基、炭素原子数７ないし２０のフェニルアルキリデン基、炭素原子数５ないし８のシクロアルキレン基、未置換かもしくは炭素原子数１ないし４のアルキル基で置換されたフェニレン基もしくはナフチレン基；または酸素原子により、硫黄原子によりもしくは
【化１３】
1997227802.tif 000013
により中断された炭素原子数４ないし１８のアルキレン基を表し；
但し、二つの窒素原子は同じ炭素原子に結合せず；
ａは１または２を表し；
ｂは０、１または２を表し；そして
ａが１の場合；
Ｒ18は、水素原子、炭素原子数１ないし２５のアルキル基、ヒドロキシル基で置換された炭素原子数２ないし２４のアルキル基、酸素原子もしくは硫黄原子により中断された炭素原子数３ないし２５のアルキル基；未置換かもしくは炭素原子数１ないし４のアルキル基で置換されたフェニル基；未置換かもしくは炭素原子数１ないし４のアルキル基によってフェニル環上で置換された炭素原子数７ないし９のフェニルアルキル基；炭素原子数３ないし２４のアルケニル基、
【化１４】
1997227802.tif 000014
を表し；そして
ａが２の場合、
Ｒ18は、
【化１５】
1997227802.tif 000015
を表すが；
但し、上記Ｉ’式で表される化合物において、
Ｒ’1が炭素原子数１ないし１２のアルキル基、
【化１６】
1997227802.tif 000016
または２−ヒドロキシルエチル基を表し；
Ｒ’5が、
【化１７】
1997227802.tif 000017
を表し；
Ｒ2とＲ3が水素原子を表し
Ｒ’4がヒドロキシル基を表し；
ｍが０を表す場合；および
式IIで表される化合物において、
ａが１を表しおよびＸが直接結合を表す場合には、
基Ｒ14、Ｒ15およびＲ18の少なくとも１つは水素原子以外を表す。〕で表される式IIの化合物のアミンとから；または
iii)ジルコニウム、ビスマスまたはカルシウムとから誘導される塩の少なくとも１種；を含む、塗料組成物。
【請求項２】
下記式Ｉ
【化１８】
1997227802.tif 000018
（式中、Ｒ1はヒドロキシル基でもしくはアミノ基で置換された炭素原子数４ないし１２のアルキル基を表すか；またはＲ1とＲ5とは、それらが結合する窒素原子と一緒になって未置換であるかもしくは炭素原子数１ないし４のアルキル基で置換されている５−、６−もしくは７−員の複素環、または酸素原子より、硫黄原子よりもしくは
【化１９】
1997227802.tif 000019
により中断された５−、６−、もしくは７−員の複素環を形成し；Ｒ2とＲ3とは、互いに独立して水素原子、炭素原子数１ないし２０のアルキル基、炭素原子数５ないし８のシクロアルキル基、未置換かもしくは炭素原子数１ないし４のアルキル基で置換されたフェニル基；またはベンジル基を表し；
Ｒ5は
【化２０】
1997227802.tif 000020
を表し；
Ｒ6は炭素原子数１ないし１８のアルキル基もしくは、炭素原子数７ないし９のフェニルアルキル基を表し；および
ｍは０または１を表す。）で表される化合物であって；
但し、以下の式III の化合物
【化２１】
1997227802.tif 000021
を除く、化合物。
【請求項３】
ｉ）式Ｉ”
【化２２】
1997227802.tif 000022
（式中、Ｒ1"は炭素原子数８ないし１４のアルキル基、ヒドロキシル基で、カルボキシル基でもしくはアミノ基で置換された炭素原子数４ないし１４のアルキル基；炭素原子数８ないし１４のアルケニル基または
【化２３】
1997227802.tif 000023
を表すか；またはＲ”1とＲ”2とはそれらが結合する窒素原子と一緒になって、未置換であるかもしくは炭素原子数１ないし４のアルキル基で置換された５−、６−もしくは７−員の複素環、または酸素原子より、硫黄原子よりもしくは
【化２４】
1997227802.tif 000024
により中断された５−、６−もしくは７−員の複素環を形成し；
Ｒ2とＲ3とは互いに独立して水素原子、炭素原子数１ないし２０のアルキル基、炭素原子数５ないし８のシクロアルキル基、未置換かもしくは炭素原子数１ないし４のアルキル基で置換されたフェニル基；またはベンジル基を表し；
Ｒ”4は水素原子またはヒドロキシル基を表し；
Ｒ”5は、水素原子、炭素原子数８ないし１４のアルキル基、炭素原子数２ないし２４のアルケニル基または
【化２５】
1997227802.tif 000025
を表し；
Ｒ6は炭素原子数１ないし１８のアルキル基または炭素原子数７ないし９のフェニルアルキル基を表し；および
ｍは０または１を表すが；
但し、Ｒ”1またはＲ”5が水素原子よりある場合、ｍは０を表す。）で表される化合物；と
ii）下記式II
【化２６】
1997227802.tif 000026
〔式中、Ｒ14とＲ15は互いに独立して水素原子、炭素原子数１ないし２５のアルキル基、ヒドロキシル基で置換された炭素原子数２ないし２４のアルキル基、酸素原子もしくは硫黄原子により中断された炭素原子数３ないし２５のアルキル基；未置換かもしくは炭素原子数１ないし４のアルキル基によってフェニル環上で置換された炭素原子数７ないし９のフェニルアルキル基；炭素原子数３ないし２４のアルケニル基または
【化２７】
1997227802.tif 000027
を表すか；またはＲ14とＲ15は、それらが結合する窒素原子と一緒になって、未置換であるかもしくは炭素原子数１ないし４のアルキル基で置換された５−、６−もしくは７−員
の複素環、または酸素原子より、硫黄原子よりもしくは
【化２８】
1997227802.tif 000028
により中断された５−、６−もしくは７−員の複素環を形成し；
Ｒ7は水素原子または炭素原子数１ないし６のアルキル基を表し；
Ｒ16は、炭素原子数１ないし２５のアルキル基、酸素原子もしくは硫黄原子により中断され炭素原子数２ないし２５のアルキル基；ヒドロキシル基、炭素原子数１ないし１８のアルコキシまたは炭素原子数２ないし２４のアルケニル基を表し；Ｒ17は、ヒドロキシル基、炭素原子数１ないし１８のアルコキシ基または酸素原子もしくは硫黄原子により中断された炭素原子数２ないし１８のアルコキシ基を表し；
そして下記で定義するｂが０の場合、３つの基Ｒ17は一緒になってＮ（ＣＨ2ＣＨ2Ｏ−）3を表し；
Ｘは直接結合、炭素原子数１ないし１８のアルキレン基、炭素原子数２ないし２０のアルキリデン基、炭素原子数７ないし２０のフェニルアルキリデン基、炭素原子数５ないし８のシクロアルキレン基、未置換かもしくは炭素原子数１ないし４のアルキル基で置換されたフェニレン基またはナフチレン基、酸素原子より、硫黄原子よりもしくは
【化２９】
1997227802.tif 000029
により中断された炭素原子数４ないし１８のアルキレン基を表し；但し、二つの窒素原子は同じ炭素原子と結合せず、
ａは１または２を表し；
ｂは０、１または２を表し；そして
ａが１の場合、Ｒ18は水素原子、炭素原子数１ないし２５のアルキル基、ヒドロキシル基で置換された炭素原子数２ないし２４のアルキル基、酸素原子もしくは硫黄原子により中断された炭素原子数３ないし２５のアルキル基；未置換かもしくは炭素原子数１ないし４のアルキル基で置換されたフェニル基；未置換かもしくは炭素原子数１ないし４のアルキル基によってフェニル環上で置換された炭素原子数７ないし９のフェニルアルキル基；炭素原子数３ないし２４のアルケニル基；
【化３０】
1997227802.tif 000030
を表し；そして
ａが２の場合、
Ｒ18は
【化３１】
1997227802.tif 000031
を表す。〕で表されるアミン；但し、式IIの化合物はアンモニア、トリエタノールアミンまたはエチルアミンでない；とから、または
iii ）ジルコニウム、ビスマスまたはカルシウムとから誘導される塩。